(57)【要約】【課題】データの読出し及び書込みが可能な記憶素子が取り付けられた消耗品を用いて画像データの印刷を実行するプリンタにおいて、ユーザが消耗品を購入する際の手間を軽減できるプリンタを提供する。【解決手段】消耗品に取付けられた記憶素子に、消耗品の型番と、消耗品の販売店に関するデータとを予め書込んでおく。そして、プリンタ１１０に記憶素子に書込まれたデータを取得する記憶素子読取部２０６と、ユーザから注文書の印刷要求を受け付ける注文書印刷要求受付部２０２と、印刷要求を受けた場合に取得した記憶素子に書込まれていたデータを用いて、消耗品の型番と販売店に関するデータとが印刷される注文書データを生成する注文書データ生成部２０４と、生成した注文書データを印刷用紙に印刷する印刷実行部２０１と、を設ける。【選択図】　図１
2004094585.tif 000002
【特許請求の範囲】
【請求項１】
データの読出し及び書込みが可能な記憶素子が取り付けられた消耗品を用いて画像データの印刷を実行するプリンタにおいて、
前記記憶素子には、前記消耗品の型番を含む仕様データと、該消耗品の注文先を示す販売店に関するデータとが予め書込まれており、
前記消耗品に取り付けられた記憶素子に書込まれているデータを取得する記憶素子読取部と、
前記記憶素子読取部が取得したデータを記憶する記憶部と、
ユーザからの消耗品の注文書の印刷要求を受け付ける受付部と、
前記受付部が印刷要求を受け付けた場合に、前記記憶部が記憶している前記消耗品の仕様データおよび前記販売店に関するデータを用いて、該消耗品の型番および該消耗品の販売店に関するデータを有する注文書の画像データを生成する注文書データ生成部と、
該生成した注文書の画像データの印刷を実行する印刷実行部と、
を有すること
を特徴とするプリンタ。
【請求項２】
データの読出し及び書込みが可能な記憶素子が取り付けられた消耗品を用いて印刷を行うプリンタに関する処理をコンピュータに実行させるプログラムであって、
前記消耗品に取付けられた記憶素子にはそれぞれ消耗品に関連付けられた消耗品識別データが予め書込まれており、
それぞれの消耗品が交換必要な状態にあるか否かについてのステータスデータと、それぞれの消耗品に取付けられた記憶素子に書込まれている消耗品識別データとを前記プリンタを介して取得する処理と、
交換必要な状態にある消耗品がある場合に、消耗品の注文書の印刷要求の受付を選択可能な状態に表示する処理と、
前記注文書の印刷要求を受付けた場合に、予め定めた規則にしたがって、前記取得した消耗品識別データから、消耗品の注文先を示す販売店に関するデータと、消耗品の型番とを特定する処理と、
前記特定した販売店に関するデータと、消耗品の型番とを有する注文書を前記プリンタに印刷させる処理と、
をコンピュータに実行させること
を特徴とするプログラム。
【請求項３】
データの読出し及び書込みが可能な記憶素子が取り付けられた消耗品を用いて印刷を行うプリンタに関する処理をコンピュータに実行させるプログラムであって、
前記消耗品に取付けられた記憶素子にはそれぞれ消耗品に関連付けられた消耗品識別データが予め書込まれており、
それぞれの消耗品が交換必要な状態にあるか否かについてのステータスデータと、それぞれの消耗品に取付けられた記憶素子に書込まれている消耗品識別データとを、前記プリンタを介して取得する処理と、
交換必要な状態にある消耗品がある場合に、消耗品の注文先を示す販売店データの表示要求の受付を選択可能な状態に表示する処理と、
前記注文先の表示要求を受け付けた場合に、予め定めた規則にしたがって、前記取得した消耗品識別データに対応した消耗品の注文先を示す販売店データを特定する処理と、
前記特定した注文先を示す販売店データを一覧表示させる処理と、
をコンピュータに実行させること
を特徴とするプログラム。
【請求項４】
請求項２又は請求項３に記載のプログラムであって、
前記プリンタを制御するプリンタドライバとして機能することを特徴とするプログラム。
【請求項５】
請求項２〜４のいずれか一項に記載のプログラムを記録したコンピュータ読み取り可能な記録媒体。
【請求項６】
データの読出し及び書込みが可能な記憶素子が取り付けられた消耗品を用いて印刷を行うプリンタに関する処理を実行するプリンタホストにおいて、
前記消耗品に取付けられた記憶素子にはそれぞれ消耗品に関連付けられた消耗品識別データが予め書込まれており、
それぞれの消耗品が交換必要な状態にあるか否かについてのステータスデータと、それぞれの消耗品に取付けられた記憶素子に書込まれている消耗品識別データとを、前記プリンタを介して取得する手段と、
交換必要な状態にある消耗品がある場合に、消耗品の注文書の印刷要求の受付を選択可能な状態に表示する手段と、
前記注文書の印刷要求を受け付けた場合に、予め定めた規則にしたがって、前記取得した消耗品識別データから、消耗品の注文先を示す販売店に関するデータと、消耗品の型番とを特定する手段と、
前記特定した販売店に関するデータと、消耗品の型番とを有する注文書を前記プリンタに印刷させる手段と、
を有すること
を特徴とするプリンタホスト。
【請求項７】
データの読出し及び書込みが可能な記憶素子が取り付けられた消耗品を用いて印刷を行うプリンタに関する処理を実行するプリンタホストにおいて、
前記消耗品に取付けられた記憶素子にはそれぞれ消耗品識別データが予め書き込まれており、
それぞれの消耗品が交換必要な状態にあるか否かについてのステータスデータと、それぞれの消耗品に取付けられた記憶素子に記憶されている消耗品識別データとを、前記プリンタを介して取得する手段と、
交換必要な状態にある消耗品がある場合に、消耗品の注文先を示すデータの表示要求の受付を選択可能な状態に表示する手段と、
前記注文先の表示要求を受け付けた場合に、予め定めた規則にしたがって、前記取得した消耗品識別データに対応した注文先を示す販売店データを特定する手段と、
前記特定した注文先を示す販売店データを一覧表示させる手段と、
を有すること
を特徴とするプリンタホスト。
【請求項８】
請求項６または請求項７に記載のプリンタホストと、データの読出し及び書込みが可能な記憶素子が取り付けられた消耗品を用いて画像データの印刷を実行するプリンタと、を備え、
前記プリンタは、
前記消耗品に取り付けられた記憶素子に書き込まれているデータを取得する記憶素子読取部と、
前記消耗品が交換必要な状態にあるか否かについてのステータスを検知するステータス管理部と、
前記記憶素子読取部が取得したデータと、ステータス管理部が検知したステータスデータとを記憶するデータ記憶部と、
を有すること
を特徴とする印刷システム。
【請求項９】
データの読出し及び書込みが可能な記憶素子が取り付けられた消耗品を用いて画像データの印刷を実行するプリンタを用いて該消耗品の注文書を印刷する方法であって、
前記記憶素子に消耗品の型番を含む仕様データと、前記消耗品の注文先を示す販売店に関するデータとが予め書き込まれており、
前記消耗品に取り付けられた記憶素子に書き込まれているデータを取得する処理を実行し、
前記記憶素子読取部が取得したデータを記憶する処理を実行し、
ユーザからの消耗品の注文書の印刷要求を受け付ける処理を実行し、
前記印刷要求を受け付けた場合に、前記記憶している前記消耗品の仕様データと、前記販売店に関するデータとを用いて、該消耗品の型番と該販売店に関するデータとを有する注文書の画像データを生成する処理を実行し、
前記生成した注文書の画像データから注文書の印刷処理を実行すること
を特徴とする消耗品の注文書を印刷する方法。
【請求項１０】
データの読出し及び書込みが可能な記憶素子が取り付けられた消耗品を用いて印刷を行うプリンタと、該プリンタに関する処理を実行するプリンタホストとを備えて構成される印刷システムに、該消耗品の注文書を印刷させる方法であって、
前記記憶素子に消耗品の型番を含む仕様データと、前記消耗品の注文先を示す販売店に関するデータとが予め書き込まれており、
前記プリンタにおいて、
前記消耗品に取り付けられた記憶素子に書き込まれているデータを取得する処理を実行し、
前記消耗品が交換必要な状態にあるか否かについてのステータスを検知する処理を実行し、
前記プリンタホストにおいて、
それぞれの消耗品のステータスデータと、それぞれの消耗品に取付けられた記憶素子に書込まれているデータとを前記プリンタを介して取得する処理を実行し、
交換必要な状態にある消耗品がある場合に、消耗品の注文書の印刷要求の受付を選択可能な状態に表示する処理を実行し、
前記注文書の印刷要求を受付けた場合に、予め定めた規則にしたがって、前記取得した記憶素子に書き込まれているデータから、消耗品の注文先を示す販売店に関するデータと、消耗品の型番とを特定する処理を実行し、
前記特定した販売店に関するデータと、消耗品の型番とを有する注文書を前記プリンタに印刷させる処理を実行すること、
を特徴とする消耗品の注文書を印刷する方法。
【請求項１１】
データの読出し及び書込みが可能な記憶素子が取り付けられた、画像データの印刷を実行するプリンタに装着するための消耗品であって、
前記記憶素子には、前記消耗品の注文先を示す販売店に関するデータが書込まれていること
を特徴とする消耗品。
【発明の詳細な説明】
【０００１】
【発明の属する技術分野】
本発明は、プリンタの消耗品の注文書を印刷する技術に関する。
【０００２】
【従来の技術】
プリンタは消耗品を用いて印刷を行う。例えば、代表的な印刷方式であるインクジェット方式を採用したインクジェットプリンタは、インクを充填したインクカートリッジ等の複数種の消耗品を用いて印刷処理を行う。そして、例えば、インク等の残量が少なくなった場合には、インクカートリッジ等の消耗品の交換が必要となる。
【０００３】
このような場合、例えば、消耗品ごとに交換までの基準印刷回数を定めておく。そして、印刷回数が基準印刷回数を超えた消耗品があるならば、ユーザに交換を促す通知を行なう。ここで、基準印刷回数を超えたか否かの判断や、交換を促す通知は、例えば、プリンタホストが行う。ユーザはこの通知により、交換すべき消耗品の存在を知ることができる。
【０００４】
ここで、特開２００１−１１７７４３号公報には、プリンタホストに接続した表示装置にインクカートリッジの型番と製造メーカのデータとを表示させている印刷システムがある。この印刷システムは、インクカートリッジに、その型番と製造メーカのデータとを予め記憶させたＩＣチップを付けておく。そして、プリンタに該ＩＣチップに記憶されているデータを取得させ、その取得したデータを、プリンタホストに接続した表示装置に表示させている。例えば、表示装置に、図１３に示す表示画面１１０１を表示させて、ユーザに、プリンタに装着されているインクカートリッジの型番等を知らせている。これにより、ユーザは、プリンタからインクカートリッジを取り外す手間をかけることなく、簡単にインクカートリッジの型番を確認できる。
【０００５】
また、ユーザからの要求を受付けて、所定の様式の消耗品の注文書を印刷するプリンタがある。これにより、ユーザは、消耗品の注文書を作成する手間を軽減させることができる。
【０００６】
【発明が解決しようとする課題】
しかしながら、上記の消耗品の注文書を印刷する技術は、その消耗品の型番まで、プリンタ側が検知して印刷するものではない。そのため、ユーザは該当する型番を自ら調べて注文書に記入する必要がある。
【０００７】
なお、特開２００１−１１７７４３号公報記載の技術は、型番等を表示することはできるが、その注文書を作成することはしない。
【０００８】
また、上述の従来技術はいずれも、ユーザに消耗品の販売を行っている販売店の注文先の情報まで提示するものではない。したがって、ユーザは消耗品を購入するために自ら販売店の情報を調べる必要がある。
【０００９】
しかしながら、多くのメーカが様々な種類のプリンタを製造販売している状況下で、プリンタ販売の専門店であっても、ユーザが必要とするメーカの消耗品を取り扱っていない場合がある。そのため、ユーザは、該当する消耗品を取り扱っている販売店を、多くの販売店の中から調べる必要があり、その手間は煩雑である。
【００１０】
さらに、販売店によっては、純正品以外の消耗品を積極的に販売しているところもある。この場合に、ユーザが、この純正品以外の消耗品を購入することがある。そして、ユーザが純正品以外の消耗品を使用した場合に、プリンタの所期の機能が発揮されないこともあり得、結果的にユーザは満足を得られないこともあり得る。
【００１１】
そこで、本発明は、ユーザが販売店から、適切な消耗品を購入する際の手間を軽減することを目的とする。
【００１２】
【課題を解決するための手段】
上記課題を解決するため、本発明は、プリンタに装着する消耗品に、消耗品の型番等の仕様を示すデータと、該消耗品の注文先を示す販売店に関するデータとを予め記憶させた記憶素子を付しておく。そして、プリンタに、前記記憶素子に記憶されたデータを取得する手段と、ユーザからの要求を受付けて、前記取得したデータに基づいて、消耗品の型番と、注文先を示す販売店に関するデータが印刷されている消耗品の注文書を印刷する手段とを設ける。
【００１３】
例えば、本発明のプリンタは、データの読出し及び書込みが可能な記憶素子が取り付けられた消耗品を用いて画像データの印刷を実行する。ここで、前記記憶素子には、前記消耗品の型番を含む仕様データと、該消耗品の注文先を示す販売店に関するデータとが予め書込まれている。そして本発明のプリンタは、前記消耗品に取り付けられた記憶素子に書き込まれているデータを取得する記憶素子読取部と、前記記憶素子読取部が取得したデータを記憶するデータ記憶部と、ユーザからの消耗品の注文書の印刷要求を受け付ける注文書印刷受付部と、前記注文書印刷受付部が印刷要求を受け付けた場合に、前記データ記憶部が記憶している前記消耗品の仕様データおよび前記販売店に関するデータを用いて、該消耗品の型番および該販売店に関するデータを有する注文書の画像データを生成する注文書データ生成部と、該生成した注文書の画像データの印刷を実行する印刷実行部と、を有する。
【００１４】
このように、本発明によれば、ユーザは、プリンタに消耗品の注文書の印刷要求の処理を行うだけで、消耗品の型番および消耗品を取り扱う販売店名に関するデータが印刷されている注文書を印刷させることができる。そして、ユーザは注文書に印刷された販売店に関するデータを基にファックスを行うことで、適切な消耗品の購入を行えることとなり、消耗品購入の際の手間が軽減させることとなる。
【００１５】
なお、本発明において、プリンタの処理の一部をプリンタホスト側で行わせるようにしてもよい。
【００１６】
例えば、コンピュータにプリンタホストを構築するためのプログラムに、プリンタで使用するそれぞれの消耗品が交換必要な状態にあるか否かについてのステータスデータおよびそれぞれの消耗品に取付けられた記憶素子に書込まれている消耗品識別データを前記プリンタを介して取得する処理と、交換必要な状態にある消耗品がある場合に、消耗品の注文書の要求の受付を選択可能な状態に表示する処理と、前記注文書の要求を受付けた場合に、予め定めた規則にしたがって、前記取得した消耗品識別データから、消耗品の注文先を示す販売店に関するデータおよび消耗品の型番を特定する処理と、前記特定した販売店に関するデータおよび消耗品の型番を有する注文書を前記プリンタに印刷させる処理とを実行させる。
【００１７】
また、前記プログラムは、注文書を前記プリンタに印刷させる処理に代えて、前記特定した販売店データを一覧表示させる処理を実行させることとしてもよい。
【００１８】
このようにすることで、ユーザは、プリンタホスト上での操作を行うだけで、プリンタの消耗品の型番や、販売店を調べることなく、簡単に消耗品の型番と注文先の販売店に関するデータが印刷される消耗品の注文書を印刷させることができる。また、ユーザは、プリンタホスト上での操作で、簡単に消耗品の注文先の販売店のデータを確認することができ、そのデータをもとに消耗品を購入することができる。
【００１９】
【発明の実施の形態】
以下、本発明の実施の形態について図面を用いて説明する。
【００２０】
最初に、本発明の第１の実施形態について説明する。
【００２１】
図１は、本発明の本発明の第１の実施形態が適用された印刷システムの機能構成の一例を示すブロック図である。
【００２２】
まず、本実施形態に適用されるプリンタホスト１００の機能構成を説明する。
【００２３】
プリンタホスト１００は、アプリケーション処理部２３０と、ＯＳ処理部２２０と、プリンタドライバ部２１０と、ステータスモニタ部２１３とを有する。
【００２４】
ＯＳ処理部２２０は、プリンタホスト１００の各部（アプリケーション処理部２３０、プリンタドライバ部２１０、ステータスモニタ部２１３）を統括的に制御する。
【００２５】
アプリケーション処理部２３０は、例えばユーザからの指示に従い文書や表、データベース等を作成し、作成した文書等のドキュメントの画像データをプリンタドライバ部２１０に送信する。
【００２６】
プリンタドライバ部２１０は、アプリケーション処理部２３０から送信されたドキュメントの画像データを、プリンタ１１０が解釈可能なコマンド群から構成される印刷データに変換する印刷データ生成部２１２と、印刷データ生成部２１２が生成した印刷データをプリンタ１１０に出力する印刷データ出力部２１１とを有する。
【００２７】
ステータスモニタ部２１３は、プリンタ１１０のステータス情報を取得してプリンタ１１０のステータス（消耗品の状態、プリンタの動作エラー等）を監視するステータス監視部２１４と、プリンタのステータスをユーザに通知する画面表示のデータを記憶するデータ記憶部２１５とを有する。
【００２８】
次に、本実施形態に適用されるプリンタ１１０の機能構成を説明する。図示するように、プリンタ１１０は、プリンタホスト１００との間で行うデータの送受信を制御する通信制御部２０７と、印刷実行部２０１と、注文書印刷受付部２０２と、ステータス管理部２０３と、注文書データ生成部２０４と、データ記憶部２０５と、記憶素子読取部２０６とを有する。
【００２９】
印刷実行部２０１は、通信制御部２０７が受信したプリンタホスト１００から送信される印刷データを受けて印刷用紙に印刷を実行する。この印刷の実行に際しては、例えばインクカートリッジ等の消耗品が用いられる。
【００３０】
この消耗品には、消耗品の識別データ（型番、製造元等の仕様データと、注文先を示す販売店のデータ）が予め記憶されている記憶素子が付されている。なお、上記の消耗品に付された記憶素子と、該記憶素子に記憶されている消耗品の識別データとについては後段で詳細に説明する。
【００３１】
ステータス管理部２０３は、プリンタ１１０の消耗品の状態を検知する機能を有する。例えば、インクカートリッジ１５０のインク残量が予め定めた量以下であるか否かについての検知を行う。
【００３２】
記憶素子読取部２０６は、消耗品に付された記憶素子に記憶されている識別データの取得を行う。
【００３３】
データ記憶部２０５は、記憶素子読取部２０６が取得した消耗品の識別データと、ステータス管理部２０３が検知したステータスデータとを記憶する。さらに、データ記憶部２０５は、後述する消耗品の注文書の印刷に必要な注文書様式データを記憶している。なお、この注文書様式データは、メーカがプリンタ製造時にデータ記憶部２０５に記憶させておくこととする。
【００３４】
注文書印刷受付部２０２は、プリンタ１１０に設けられている後述する注文書ＳＷを介してユーザからの注文書の印刷要求の受付けを行う。注文書印刷要求を受付けた注文書印刷受付部２０２は、注文書印刷の要求データを注文書データ生成部２０４に送信する。
【００３５】
注文書データ生成部２０４は、上記の、注文書印刷の要求データを受けて、データ記憶部２０５に記憶されている注文書様式データと、消耗品の記憶素子から取得した識別データ（型番、製造元等の仕様データと、注文先を示す販売店のデータ）とに基づいて注文書データの生成を行う。生成された注文書データは、印刷実行部２０１に送られて印刷用紙に印刷される。
【００３６】
このように、本実施形態の印刷システムにおいては、プリンタホストを介することなく、消耗品の注文書を印刷することができる。
【００３７】
なお、本印刷システムの構成はこれに限定されない。例えば、プリンタホスト１００に複数台のコンピュータが接続されたネットワーク印刷システムとしてもよい。
【００３８】
続いて、上記の機能を実現するためのハードウェア構成について説明する。
【００３９】
図２は、本発明の第１の実施形態が適用された印刷システムのハードウェア構成の一例を示すブロック図である。
【００４０】
プリンタホスト１００には、プログラムを実行するＣＰＵ（中央演算処理装置）１０１と、ＣＰＵ１０１が実行するプログラムやデータを一時的に記憶する主記憶装置１０２と、プリンタホスト１００を制御するためのプログラム等が予め記憶されているハードディスク等の補助記憶装置１０３と、接続したプリンタ１１０等の周辺装置とのデータの送受信の制御を行うインタフェース１０４とを有する、一般的なコンピュータシステムを用いることができる。また、プリンタホスト１００には、ＣＲＴ等の表示装置１２０と、キーボードやマウス等の入力装置１３０とが接続されていてもよい。
【００４１】
そして、プリンタホスト１００の各機能構成は、図示する一般的なコンピュータシステムにおいて、ＣＰＵ１０１が、補助記憶装置１０３に記憶されている特定のプログラム（ＯＳ，アプリケーション）を、主記憶装置１０２にロードし、実行することにより実現される。
【００４２】
具体的には、上述したＯＳ処理部２２０の機能は、ＣＰＵ１０１が、補助記憶装置１０３に記憶されている基本ソフトウェアであるＯＳを、主記憶装置１０２にロードし、実行することで実現される。
【００４３】
また、上述したアプリケーション処理部２３０の機能は、ＣＰＵ１０１が、補助記憶装置１０３に記憶されているＯＳと、例えばワープロソフトやフォトレタッチソフト等のアプリケーションとを主記憶装置１０２にロードし、ＯＳに載せたアプリケーションを実行することで実現される。
【００４４】
同様に、プリンタドライバ部２１０の機能は、ＣＰＵ１０１が、補助記憶装置１０３に記憶されているＯＳおよびプリンタドライバプログラムを、主記憶装置１０２にロードしてＯＳに載せたプリンタドライバプログラムを実行することで実現される。また、同様に、ステータスモニタ部２１３の機能は、ＣＰＵ１０１が、補助記憶装置１０３に記憶されているＯＳおよびステータスモニタプログラムを、主記憶装置１０２にロードしてＯＳに載せたステータスモニタプログラムを実行することで実現される。なお、上記のプリンタドライバプログラムとステータスモニタプログラムは、一体のプログラムとして構成されていてもよい。
【００４５】
プリンタ１１０は、例えばカラー印刷が可能なインクジェットプリンタであり、プリンタホスト１００から印刷データを受信したときに、所定の印刷プロセスを実行して印刷媒体である印刷用紙に画像を形成するものである。なお、以下において、インクジェットプリンタを例に説明するが本発明はこれに限定されるものではない。例えば、プリンタはレーザプリンタであってもよい。
【００４６】
プリンタ１１０は、プリンタホスト１００とのデータの送受信の制御を行うインタフェース１１１と、プログラムを実行するＣＰＵ（中央演算処理装置）１１２と、イメージデータ等を一時的に記憶するＲＡＭ（Ｒａｎｄｏｍ　Ａｃｃｅｓｓ　Ｍｅｍｏｒｙ）１１３と、プリンタ１１０を制御するためのプログラム等が予め不揮発的に記憶されているＲＯＭ（Ｒｅａｄ　Ｏｎｌｙ　Ｍｅｍｏｒｙ）１１４と、実際に印刷を行う印刷機構１１５と、プリンタ１１０内部でＣＰＵ１１２と印刷機構１１５との間でデータの授受を行うインタフェース１１７とを有する。
【００４７】
また、印刷機構１１５は、データの読出し及び書込みが可能な記憶素子１１６を備える。そして、この記憶素子１１６は、インクカートリッジ等の消耗品に取り付けられている。例えば、記憶素子１１６は印刷機構１１５から着脱可能なインクまたはトナー等の画像形成媒体を収容するケースに取り付けられている。また、例えば、記憶素子１１６は、ＩＣ（集積回路）等の半導体記憶装置で構成される。
【００４８】
また、例えば、この画像形成媒体を収容するケースは、プリンタ１１０で使用する複数の色ごとに別体とし、各色ごとに着脱可能に構成してもよい。その場合、例えば、Ｃ（シアン）、Ｍ（マゼンタ）、Ｙ（イエロー）、Ｋ（黒）の４色のインクを使用するインクジェットプリンタであれば、ＣＭＹＫのそれぞれのインクを収容するケースを印刷機構１１５に装着して印刷を実行する。
【００４９】
さらに、印刷機構１１５は、消耗品の注文書の印刷を受付ける注文書スイッチ（以下「注文書ＳＷ」と言う）を有している（図示せず）。プリンタ１１０は、注文書ＳＷからの入力を受付けて消耗品の注文書の印刷を行う。
【００５０】
続いて、プリンタ１１０の消耗品に取り付けられた記憶素子１１６について、インクやトナー等の画像形成媒体を収容するケースに取り付けられた場合を例に説明する。
【００５１】
図３は、記憶素子１１６を取りつけたインクカートリッジ１５０の外観を示すものである。インクカートリッジ１５０は、内部にインクを収容するインク収容部を構成するカートリッジ本体１５１と、このカートリッジ本体１５１の側枠部分取り付けられた記憶素子１１６とを備えている。この記憶素子１１６に、インクカートリッジを識別するための識別データが記憶されている。
【００５２】
この識別データは、製造元、インクの種類（色）、インクカートリッジの名称、インクカートリッジ型番、製造年月日を示したインクカートリッジの仕様データに加えて、さらに、インクカートリッジの注文先を示す販売店のデータ（販売店名、販売店のファックス番号、販売店の電話番号等）からなる。
【００５３】
この記憶素子１１６は、インクカートリッジ１５０が印刷機構１１５のカートリッジ装着部（図示せず）に装着されると、インタフェース１１７と接続されて、ＣＰＵ１１２との間で各種データの授受をする。なお、ここでいう「接続」は、接触、非接触を問わない。したがって、以下では接触型の記憶素子を用いて説明するが、非接触型の記憶素子を用いてもよい。この記憶素子１１６は、インクカートリッジ１５０の側枠１５２に対して、下側が開放状態にある凹部１５３に装着されていて、複数の接続端子１５４のみが露出している。
【００５４】
ここで、記憶素子１１６への識別データの書込みを、誰が（製造者、販売業者）、どのタイミング（インクカートリッジ製造時、販売業者の消耗品仕入れ後等）で行うかについては本実施形態では特に限定しない。
【００５５】
例えば、メーカが、記憶素子１１６に販売店データ（販売店名、ファックス番号等）以外の消耗品の仕様を示すデータだけを書込んで消耗品を出荷して、販売店が、その消耗品の入荷後に、自店の販売店データ（販売店名、ファックス番号等）を、記憶素子１１６に追加して書込むこととしてもよい。
【００５６】
また、例えば、消耗品を大量に販売する大手小売店に対して、メーカが、消耗品の注文を受けてから、消耗品の製造時（出荷時でもよい）に前記大手小売店の販売店データ（販売店名、ファックス番号等）を、記憶素子１１６に書込むこととしてもよい。
【００５７】
続いて、プリンタ１１０が行う消耗品の注文書の印刷処理のフローを、図４を用いて説明する。
【００５８】
まず、プリンタ１１０の記憶素子読取部２０６は、消耗品に取付けられている記憶素子１１６から識別データを取得する（Ｓ４１０）。ここで、この識別データを取得するタイミングについては特に限定しない。例えば、プリンタ１１０の消耗品交換が完了した場合に、手動による操作を受けて（或いは自動的に）記憶素子読取部２０６が、記憶素子１１６から識別データを取得することとしてもよい。また、プリンタ１１０が起動された場合に、その都度、記憶素子読取部２０６が、記憶素子１１６から識別データを取得することとしてもよい。そして、記憶素子読取部２０６は、取得した識別データをデータ記憶部２０５に記憶させる（Ｓ４２０）。
【００５９】
続いて、プリンタ１１０は、注文書印刷の要求が有るか否かについての判断を行う（Ｓ４３０）。具体的には、プリンタ１１０の注文書ＳＷの押下をされた場合に、注文書印刷要求受付部２０２が、注文書印刷の要求が有るものと判断し、注文書データ生成部２０４に、注文書印刷要求データを送信する。一方、プリンタ１１０の注文書ＳＷの押下をされなければ、そのまま待機する。
【００６０】
注文書データ生成部２０４は、注文書印刷要求受付部２０２からの上記要求データを受けて、データ記憶部２０５に記憶されている注文書様式データおよび消耗品識別データを用いて注文書データの生成を行い、生成した注文書データを印刷実行部２０１に送信する（Ｓ４４０）。そして、注文書データ生成部２０４から受信した注文書データに基づいて消耗品の注文書を印刷用紙に印刷し、処理を終了する（Ｓ４５０）。
【００６１】
続いて、プリンタ１１０が印刷する消耗品の注文書について具体的に説明する。
【００６２】
図５は、本実施形態の印刷システムが印刷した消耗品の注文書の一例を示したものである。
【００６３】
図示するように注文書４００は、日付記入欄４０１と、販売店のファックス番号４０２と、販売店名および電話番号４０３と、ユーザ情報（氏名、住所、電話番号）記入欄４０４と、消耗品（インクカートリッジ）の仕様４０５と、消耗品（インクカートリッジ）の型番４０６と、注文数記入欄４０７と、を備えて構成される。
【００６４】
ここで、注文書４００の消耗品（インクカートリッジ）の仕様４０５、消耗品（インクカートリッジ）の型番４０６、販売店名および電話番号４０３、販売店のファックス番号４０２は、インクカートリッジ１５０に付された記憶素子１１６に書込まれている識別データに基づいて印刷されるものである。
【００６５】
このように注文書４００には、交換を行う消耗品（インクカートリッジ）の型番と、消耗品の注文先を示す販売店名に関するデータ（販売店名とその販売店のファックス番号と電話番号）が印刷されている。そのため、ユーザは、現在使用している消耗品の型番と、その消耗品を取り扱っている取扱店を調べる必要がない。
【００６６】
したがって、ユーザは、注文書４００に、自己の氏名と、注文する消耗品の数量を記入して、初めから印刷されているファックス番号に、注文書をファックス送信するだけで適切な消耗品を、手間をかけることなく購入できる。
【００６７】
また、本実施形態のプリンタは、該プリンタを販売した販売店に対して、その後、該プリンタを購入したユーザから消耗品を継続して受注できる可能性を増加させる。
【００６８】
次に、本発明の第２の実施形態について説明する。本発明の第２の実施形態は、第１の実施形態において、プリンタが行っていた処理の一部をプリンタホスト１００に行わせている。つまり、プリンタホスト１００に、消耗品に付された記憶素子１１６に記憶されている消耗品に関するデータを、プリンタ１１０を介して取得させ、その取得した消耗品データを基に、消耗品の注文書データを生成し、プリンタ１１０に消耗品の注文書を印刷させるというものである。
【００６９】
また、本発明の第２の実施形態は、消耗品の注文書の印刷に関する処理を行うことに代えて、或いは当該処理と共に、プリンタホスト１００が、前記取得した消耗品に関するデータに基づいて消耗品の注文先を示すデータをプリンタホストに接続された表示装置１２０の画面上に表示させることとしてもよい。なお、第２の実施形態の説明において、上記の第１の実施形態と同じ構成については、同じ符号を用いることとする。
【００７０】
さて、初めに、本発明の第２の実施形態が適用される印刷システムの機能構成を説明する。
【００７１】
図６は、第２の実施形態が適用された印刷システムの機能構成の一例を示すブロック図である。
【００７２】
まず、本実施形態に適用されるプリンタ１１０の機能構成を説明する。プリンタ１１０は、通信制御部２０７と、印刷実行部２０１と、ステータス管理部２０３と、データ記憶部２０５と、記憶素子読取部２０６とを有する。この通信制御部２０７、印刷実行部２０１、ステータス管理部２０３、データ記憶部２０５、記憶素子読取部２０６の機能は上述した第１の実施形態のものと同じである。
【００７３】
続いて、本実施形態に適用されるプリンタホスト１００の機能構成を説明する。
【００７４】
プリンタホスト１００は、アプリケーション処理部２３０と、ＯＳ処理部２２０と、プリンタドライバ部２１０と、と、ステータスモニタ部２１３とを有する。このアプリケーション処理部２３０、ＯＳ処理部２２０、プリンタドライバ部２１０の機能は上述した第１の実施形態のものと同じである。
【００７５】
ステータスモニタ部２１３は、第１の実施形態の機能に加えて、さらに、消耗品の注文書のデータを生成する注文書データ生成部２１６を有している。また、ステータスモニタ部２１３のステータス監視部２１４の行なう処理が第１の実施形態のものと異なる。なお、このステータス監視部２１４の行なう処理については後段で説明する。
【００７６】
また、本実施形態のステータスモニタ部２１３のデータ記憶部２１５には、プリンタ１１０のステータスをユーザに通知する画面表示のデータに加えて、後述するプリンタの消耗品の注文処理を行うためのデータが記憶されている。さらに、データ記憶部２１５には、プリンタ１１０の消耗品の記憶素子１１６に記憶されている消耗品識別データに対応付けられて消耗品の販売店情報が、例えばテーブル形式（以下において「販売店情報テーブル」と言う）で記憶されている。
【００７７】
ステータス監視部２１４は、プリンタ１１０のステータス管理部２０３からプリンタ１１０のステータスデータを取得する。そして、該取得したデータから消耗品の交換を促す必要があると判断した場合には、表示装置１２０に消耗品の交換を促す画面の表示を行う。この消耗品の交換を促す画面上には、消耗品の注文に関する案内表示の受付ボタンを設けておく。そして、ステータス監視部２１４は、ユーザから、該案内表示の受付ボタンのクリックを受けた場合は、プリンタ１１０のデータ記憶部２０５から該当する消耗品の識別データを取得して、消耗品の注文方法を示す案内画面の表示を行う。その後、ステータス監視部２１４は、さらに、ユーザから該案内画面上で、消耗品注文に関する処理の要求を、クリックにより受け付けた場合は、取得した消耗品の識別データと、データ記憶部２１５に記憶している「販売店情報テーブル」とに基づいて、ユーザの要求に応じた処理を行う。
【００７８】
例えば、ユーザから、消耗品の注文書の印刷要求を受け付けた場合には、取得した該消耗品の識別データと、データ記憶部２１５に記憶されている「販売店情報テーブル」とに基づいて該当する消耗品の型番と、消耗品の注文先を示す販売店に関するデータとを特定し、該特定したデータと、該注文書の印刷要求データとを注文書データ生成部２１６に送信する。そして、注文書データ生成部２１６は、取得したデータに基づいて該当する消耗品の注文書データを生成し、そのデータを印刷データ出力部２１１に送信する。その後、印刷データ出力部２１１は、取得した印刷データをプリンタ１１０に送信して、プリンタ１１０により印刷用紙に注文書が印刷される。
【００７９】
続いて、本発明の第２の実施形態の印刷システムの機能を実現するためのハードウェア構成の説明をする。
【００８０】
本発明の第２の実施形態の印刷システムの機能を実現するためのハードウェア構成は、図２に示す第１の実施形態のものと、プリンタ１１０に注文書ＳＷ（図示せず）が構成されていない点を除いて同じである。
【００８１】
また、本発明の第２の実施形態が適用された印刷システムのプリンタ１１０の消耗品に取り付けられた記憶素子１１６は、第１の実施形態のものと、記憶素子１１６に書込まれている消耗品に関する識別データの構成が異なる以外は同じである。
【００８２】
ここで、本実施形態の消耗品に付された記憶素子１１６に書込まれる消耗品識別データの構成について説明する。なお、本実施形態においても、上記の第１の実施形態の説明と同様に、消耗品については図３に示すインクカートリッジ１５０を用いて説明する。しかし、本発明は特にこれに限定されるものではない。
【００８３】
さて、本実施形態の記憶素子１１６に書込まれる消耗品識別データには、第１の実施形態のように、販売店に関する詳細なデータ（販売店名、ファックス番号等）は含まれていない。例えば、該記憶素子１１６には、インクカートリッジ１５０の製造元、インクの種類（色）、インクカートリッジの名称、インクカートリッジ型番、製造年月日を示したインクカートリッジの仕様データに加えて、インクカートリッジの販売店を識別するための販売店識別データ（例えば、国番号、住所番号、店番号等）が書込まれている。そして、本実施形態のプリンタホスト１００のデータ記憶部２１５に、該販売店識別データ（国番号、住所番号、店番号等）に対応つけた販売店に関する詳細なデータを記憶させた「販売店情報テーブル」を持たせておく。
【００８４】
また、本実施形態では、第１の実施形態と同様に、記憶素子１１６への識別データの書込みを、誰が（製造者、販売業者）、どのタイミング（消耗品の製造時、販売業者の消耗品仕入れ後等）で行うかについては特に限定しない。例えば、メーカが、販売店に上記の販売店識別データ（国番号、住所番号、店番号等）を連絡しておいて、販売店が、その消耗品の入荷後に、自店の販売店データ（販売店名、ファックス番号等）に対応する販売店識別データ（国番号、住所番号、店番号等）を、記憶素子１１６に書込むこととしてもよい。
【００８５】
次に、プリンタホスト１００のデータ記憶部２１５に記憶されている「販売店情報テーブル」について説明する。この「販売店情報テーブル」には、上述の通り、記憶素子１１６に記憶されている消耗品の販売店識別データ（例えば、国番号、住所番号、店番号等）に対応付けられて、消耗品の注文先を示す販売店情報が格納されている。
【００８６】
図７は、プリンタホスト１００のデータ記憶部２１５に記憶されている販売店情報テーブル６００のデータ構造の一例を模擬的に示したものである。図示するように、本例の販売店情報テーブル６００は、国テーブル６０１と、所在地テーブル６０２と、店テーブル６０３と、を有する。
【００８７】
国テーブル６０１には、「国の識別番号（Ａ，Ｂ，Ｃ・・・）」ごとに、「国名」が登録されている。所在地テーブルには、「所在地の識別番号」ごとに、「郵便番号、住所（例えば郵便番号で特定できる町名まで）」が登録されている。店情報テーブル６０３は、「店の識別番号」ごとに、「店名、電話番号、ファックス番号、住所（番地）」が登録されている。
【００８８】
また、この販売店情報テーブル６００は、図６の販売店情報テーブル構造６０４に示すように階層構造で構成されている。本例では図示するように、各国ごとに対応する所在地テーブル６０２を有し、所在地ごとに対応する店テーブル６０３を有する構成としている。
【００８９】
例えば、ステータス監視部２１４が、プリンタ１１０から取得した記憶素子１１６に書込まれていた販売店識別データが、「Ａ／１００００１／０００１」であるとする。この場合にステータス監視部２１４は、まず、国テーブル６０１から、国識別データ「Ａ」に関連付けられた「日本」を特定して、それに対応する所在地テーブル６０２を選定する。そして選定した所在地テーブル６０２から識別データ「１００００１」に関連付けられた所在地「〒０００−００　東京都千代田区外神田」を特定し、それに対応する店テーブルの店情報テーブル６０３を選定する。そして、選定した店テーブル６０３から識別データ「０００１」に関連づけられた店データ「アイウエオ電器、電話番号、フックス番号」を取得して、図示する販売店情報テーブル照合結果６１０を取得する。
【００９０】
また、例えば、ステータス監視部２１４が取得した販売店の識別データが、「Ｆ／１００００１／０００１」であるとする。その場合には、ステータス監視部２１４は、同様の処理を行い図示する販売店情報テーブル照合結果６１１を取得する。
【００９１】
なお、この販売店情報テーブル６００のデータの登録は、メーカ側がステータスモニタ部２１３の製造時に予め行うこととする。また、登録する所在地テーブル６０３は、販売する地域に応じてメーカ側で定めておくこととしてもよい。
【００９２】
次に、本実施形態の印刷システムが行う消耗品の注文に関する処理について説明する。
【００９３】
図８は、プリンタ１１０のステータスモニタ部２１３が行う消耗品の注文に関する処理のフローを示す図である。
【００９４】
ステータスモニタ部２１３のステータス監視部２１４は、アプリケーション２３０からの印刷要求データを受けた場合に処理を開始し、プリンタ１１０からプリンタ１１０の消耗品のステータスデータを取得する（Ｓ７１０）。
【００９５】
次に、ステータス監視部２１４は、取得したステータスデータから交換が必要な消耗品があるか否かの判断を行う（Ｓ７２０）。そして、ステータス監視部２１４は、交換必要な消耗網品があると判断した場合には、消耗品交換を促すメニュー画面を表示装置１２０に表示させる（Ｓ７３０）。一方、ステータス監視部２１４は、取得したステータスデータから交換が必要な消耗品が無いと判断した場合には処理を終了させる。この消耗品交換を促すメニュー画面は、例えば、図９に示すように「消耗品交換を促すメッセージ欄」７０１と、この画面を終了させる「閉じるボタン」７０２と、「消耗品のステータスの表示欄」７０３とを備えて構成されている。また、「消耗品のステータスの表示欄」７０３には、「消耗品発注ボタン」７０４が設けられている。
【００９６】
次に、ステータス監視部２１４は、消耗品の注文処理に関する表示が必要か否かの判断を行う（Ｓ７４０）。この判断は、ユーザからの消耗品の注文処理に関する表示要求が在るか否かにより行われる。例えば、ステータス監視部２１４は、ユーザから、図９に示す「消耗品発注ボタン」７０４のクリックを受け付けることで注文処理に関する表示要求が在ると判断する。また、例えば、ステータス監視部２１４は、ユーザから、図９に示す「閉じるボタン」７０２のクリックを受け付けることで注文処理に関する表示要求が無いものと判断する。
【００９７】
そして、ステータス監視部２１４は、ユーザからの注文処理に関する表示要求を受けつけた場合は、プリンタ１１０のデータ記憶部２０５から該当する消耗品の識別データ（消耗品の製造元、型番、製造年月日、消耗品の販売店に関する識別データ）を取得する。そして、ステータス監視部２１４は、該取得したデータと、ステータスモニタ部２１３のデータ記憶部２１５に予め記憶されている消耗品の注文処理に関する画面表示のためのデータに基づいて、「消耗品注文のメニュー画面」を表示する（Ｓ７５０）。
【００９８】
一方、ステータス監視部２１４は、消耗品の注文処理に関する要求が無いと判断した場合には処理を終了させる。
【００９９】
続いて、ステータス監視部２１４は、「消耗品注文のメニュー画面」上において、消耗品の注文処理に関する要求があるか否かについての判断を行う（Ｓ７６０）。そして、ステータス監視部２１４は、消耗品の注文処理に関する要求があると判断した場合には、要求に応じた処理を行う（Ｓ７７０）。一方、ステータス監視部２１４は、消耗品の注文に関する要求が無いと判断した場合には処理を終了させる。
【０１００】
続いて、上述の印刷システムが行う消耗品の注文処理を、ステータス監視部２１４が表示装置１２０の画面上の表示させる画面例を用いて説明する。
【０１０１】
図１０は、ステータス監視部２１４が表示装置１２０の画面上に表示させる「消耗品注文のメニュー画面」の一例を示したものである。
【０１０２】
図示するように、「消耗品注文メニュー画面」８００は、「消耗品の残量表示欄」８０１と、「消耗品の型番表示欄」８０２と、「消耗品の注文に関する説明欄」８０３と、「処理ボタン」８１０とを備えて構成されている。
【０１０３】
ここで「消耗品の型番表示欄」８０２に示す型番は、プリンタ１１０から取得した記憶素子１１６に記憶されているデータに含まれているものである。
【０１０４】
「処理ボタン」８１０には、ユーザの消耗品購入の際の手間を軽減するために、「Ｗｅｂ発注ボタン」８０４と、「Ｆａｘ発注ボタン」８０５と、「電話発注ボタン」８０６とが設けられている。本実施形態の印刷システムは、上記のいずれかの処理ボタンのクリックを、ユーザから受けつけて、それぞれの処理を実行することでユーザの消耗品購入の際の手間の軽減を実現する。
【０１０５】
それでは、まず、本実施形態の印刷システムが、「Ｆａｘ発注ボタン」８０５のクリックを、ユーザから受けた場合の処理について説明する。
【０１０６】
ステータス監視部２１４は、「Ｆａｘ発注ボタン」８０５のクリックを、ユーザから受けたら、図１１に示す「消耗品注文書印刷問合せ画面」９００を表示装置１２０の画面上に表示させる。そして、ステータス監視部２１４は、図示する「印刷ボタン」９０１のクリックを受け付けると、プリンタ１１０から取得した該当する消耗品の記憶素子１１６に書込まれている識別データ（消耗品の製造元、型番、製造年月日、消耗品の注文先を示す販売店に関する識別データ）と、データ記憶部２１５に記憶されている販売店情報テーブル６００とから該当する消耗品の注文先を示す販売店のデータを特定して、該特定した消耗品の注文先を示す販売店のデータと、消耗品の型番のデータとを注文書データ生成部２１６に送信する。
【０１０７】
注文書データ生成部２１６は、受信した該データと、予めデータ記憶部２１５に記憶されている消耗品の注文書様式データとから注文書データを生成して、該生成したデータを、印刷データ出力部２１１に送信する。
【０１０８】
印刷データ出力部２１１は、受信した該注文書データをプリンタ１１０に送信する。そして、プリンタ１１０は、消耗品の型番と、販売店の情報（販売店店名、Ｆａｘ番号、電話番号）を有する消耗品の注文書４００を印刷用紙に印刷する。この注文書は、上述の本発明の第１の実地形態のものと同じである。
【０１０９】
このように、ユーザは、プリンタホスト１００に接続された表示装置１２０に表示される表示画面にしたがい、プリンタホスト１００の簡単な入力操作を行うだけで、プリンタの消耗品の型番や、販売店を調べることなく、簡単に消耗品の注文書を印刷することができる。そして、ユーザは、その注文書に印刷されている販売店のＦａｘ番号宛てに注文書を、Ｆａｘ送信するだけで消耗品を注文することができる。
【０１１０】
続いて、本実施形態の印刷システムが、図１０に示す「消耗品注文システムメニュー画面」８００の「電話発注ボタン」８０６のクリックを、ユーザから受けた場合の処理について説明する。
【０１１１】
ステータス監視部２１４は、「電話発注ボタン」８０６のクリックを、ユーザから受けた場合、プリンタ１１０から取得した該当する消耗品の記憶素子１１６に書込まれている識別データ（消耗品の製造元、型番、製造年月日、消耗品の注文先を示す販売店に関するデータ等）と、データ記憶部２１５に記憶されている販売店情報テーブル６００から該当する消耗品の注文先を示す販売店のデータの特定を行う。
【０１１２】
そして、ステータス監視部２１４は、特定した販売店の詳細な情報（販売店名、郵便番号、住所、電話番号、Ｆａｘ番号）を、表示装置１２０の画面上に表示する。この場合に、ステータス監視部２１４は、取得した消耗品の注文先を示す販売店に関する識別データから、特定した販売店と同じ地域内（例えば、郵便番号から、その番号を持つ住所の販売店を特定する）の販売店の詳細情報を表示装置１２０の画面上に表示することとしてもよい。例えば、図１２に示すように、複数の販売店をリスト表示する。
【０１１３】
図１２で例示する販売店リスト画面１０００は、「販売店名表示欄」１００１と、「電話／Ｆａｘ番号表示欄」１００２と、「連絡先住所欄」１００３とを備えて構成さている。ユーザは、この販売店リスト画面１０００を見ながら連絡先を確認して電話で消耗品を注文することができる。また、消耗品販売店リスト画面１０００に、図示するような印刷ボタン１００４を設けて、該リストを印刷するようにしてもよい。
【０１１４】
このように、ユーザは、簡単に消耗品の販売店の詳細な情報を確認することができ、その情報をもとの消耗品を注文することができる。
【０１１５】
また、例えば、ユーザが最初に問合せをした販売店に、購入したい消耗品の在庫が無い場合であっても、図１２に例示した販売店リスト画面１０００に表示された販売店リストを見ながら順番に必要な消耗品の問い合わせをすることができる。また、ユーザは、急に消耗品が必要になった場合に、該リストから近所の販売店を調べることができる。
【０１１６】
続いて、本実施形態の印刷システムが、図１０に示す「消耗品発注システムメニュー画面」８００の「Ｗｅｂ発注ボタン」８０４のクリックを、ユーザから受けた場合の処理について説明する。
【０１１７】
ステータス監視部２１４は、ユーザからの「Ｗｅｂ発注ボタン」８０４のクリックを受けると、ユーザにインタネットへの接続処理の要求を行う。そして、プリンタホスト１００がインタネットに接続されると、ステータス監視部２１４は、該当するメーカのホームページ（消耗品発注サイト）のＵＲＬを指定して、表示装置１２０にホームページ（消耗品発注サイト）を表示させる。その後、ユーザは、Ｗｅｂ画面上の案内に従い消耗品を注文することができる。
【０１１８】
なお、本発明は以上で説明した実施形態に限定されるものではなく、本発明の要旨の範囲内において種々の変形が可能である。例えば、本実施形態ではインクジェットプリンタを想定しているが、レーザプリンタでも構わない。また、本実施形態では、消耗品として説明したインクカートリッジは、消耗品の例示に過ぎない。
【０１１９】
【発明の効果】
以上説明したように、本発明によれば、ユーザが、消耗品を購入する際の手間を軽減することができる。
【図面の簡単な説明】
【図１】本発明の第１実施形態が適用された印刷システムの機能構成の一例を示すブロック図である。
【図２】本発明が適用された印刷システムのハードウェア構成の一例を示すブロック図である。
【図３】記憶素子が付けられたインクカートリッジの外観を説明する図である。
【図４】プリンタ１１０が行う消耗品の注文書の印刷処理のフローを示す図である。
【図５】本発明が適用された印刷システムが印刷した消耗品の注文書の一例を示したものである。
【図６】本発明の第２実施形態が適用された印刷システムの機能構成の一例を示すブロック図である。
【図７】本発明の第２実施形態が適用された印刷システムのプリンタホスト１００が有する販売店情報テーブル６００のデータ構造の一例を模擬的に示したものである。
【図８】本発明の第２実施形態が適用された印刷システムのステータスモニタ部２１３が行う消耗品の注文に関する処理のフローを示す図である。
【図９】本発明の第２実施形態が適用された印刷システムの表示装置１２０の画面上に表示させる消耗品の交換を促すメニュー画面の一例を示す図である。
【図１０】本発明の第２の実施形態が適用された印刷システムの表示装置１２０の画面上に表示させるインク発注システムメニュー画面の一例を示す図である。
【図１１】本発明の第２の実施形態が適用された印刷システムの消耗品注文書印刷問合せ画面の一例を示す図である。
【図１２】本発明の第２の実施形態が適用された印刷システムの消耗品の注文先の販売店リスト画面の一例を示す図である。
【図１３】従来の印刷システムにおける消耗品の交換を促す画面と、インクカートリッジのデータを示す画面とを示す図である。
【符号の説明】
１００・・・プリンタホスト
１０１・・・ＣＰＵ
１０２・・・主記憶装置
１０３・・・補助記憶装置
１０４・・・インタフェース
１１０・・・プリンタ
１１１・・・インタフェース
１１２・・・ＣＰＵ
１１３・・・ＲＡＭ
１１４・・・ＲＯＭ
１１５・・・印刷機構
１１６・・・記憶素子
１１７・・・インタフェース
１２０・・・表示装置
１３０・・・入力装置
１５０・・・インクカートリッジ
１５１・・・インクカートリッジ本体
１５２・・・インクカートリッジ１５０の側枠
１５３・・・インクカートリッジ本体凹部
１５４・・・接続端子
２０１・・・印刷実行部
２０２・・・注文書印刷受付部
２０３・・・ステータス管理部
２０４・・・注文書データ生成部
２０５・・・データ記憶部
２０６・・・記憶素子読取部
２０７・・・通信制御部
２１０・・・プリンタドライバ部
２１１・・・印刷データ出力部
２１２・・・印刷データ生成部
２１３・・・ステータスモニタ部
２１４・・・ステータス監視部
２１５・・・データ記憶部
２１６・・・注文書データ生成部
２２０・・・ＯＳ処理部
２３０・・・アプリケーション処理部
４００・・・消耗品のファックス用注文書
６００・・・販売店情報テーブル
６０１・・・国テーブル
６０２・・・所在地テーブル
６０３・・・店テーブル
６０４・・・販売店情報テーブル構造
６１０・・・販売店情報テーブル照合結果
６１１・・・販売店情報テーブル照合結果
７００・・・消耗品の交換を促すメニュー画面
７０１・・・消耗品交換を促すメッセージ欄
７０２・・・閉じるボタン
７０３・・・消耗品のステータスの表示欄
７０４・・・消耗品発注ボタン
８００・・・消耗品の交換を促すメニュー画面
９００・・・消耗品注文書印刷問合せ画面
９０１・・・印刷ボタン
１０００・・・消耗品の注文先の販売店リスト画面
１００１・・・販売店名表示欄
１００２・・・販売店の電話番号／ＦＡＸ番号表示欄
１００３・・・販売店の連絡先住所表示欄
１００４・・・印刷ボタン
１１００・・・消耗品の交換を促すメニュー画面
１１０１・・・カートリッジ情報画面
【図１】
2004094585.tif 000003
【図２】
2004094585.tif 000004
【図３】
2004094585.tif 000005
【図４】
2004094585.tif 000006
【図５】
2004094585.tif 000007
【図６】
2004094585.tif 000008
【図７】
2004094585.tif 000009
【図８】
2004094585.tif 000010
【図９】
2004094585.tif 000011
【図１０】
2004094585.tif 000012
【図１１】
2004094585.tif 000013
【図１２】
2004094585.tif 000014
【図１３】
2004094585.tif 000015